(57)【特許請求の範囲】
【請求項１】
下面全体が開口して中空部を有するボックス状に組み立てられる折畳可能な防塵容器であって、
上壁部は、少なくとも一部が、前記中空部内を視認可能な透明部材からなる窓部とされており、
側壁部には、作業者の手が前記中空部内に挿入可能な挿入口が２箇所に形成されており、
前記防塵容器の下面への開口部には、袋状の集塵袋の開口部が被せられて、前記防塵容器と前記集塵袋とが互いに連通可能とされ、
前記集塵袋が前記防塵容器に対して着脱可能とされており、
前記上壁部は、四角板状に形成され、
組立前の展開した状態では、前記側壁部は、前記上壁部の前端部、後端部、左端部および右端部にそれぞれ連接されている四角板状の前壁部、四角板状の後壁部、前記挿入口の一方が形成された四角板状の左壁部および前記挿入口の他方が形成された四角板状の右壁部と、前記前壁部の前端部に連接されている板状の前側重合壁部と、前記後壁部の後端部に連接されている板状の後側重合壁部とを有し、前記前壁部と前記左壁部、前記前壁部と前記右壁部、前記後壁部と前記左壁部および前記後壁部と前記右壁部がそれぞれ、板状の第１連接部、板状の第２連接部、板状の第３連接部および板状の第４連接部にて連接されており、
前記前壁部と前記前側重合壁部とにはそれぞれ、互いに着脱可能に係合する係合部が形成され、
前記後壁部と前記後側重合壁部とにはそれぞれ、互いに着脱可能に係合する係合部が形成され、
前記左壁部と前記右壁部とにはそれぞれ、互いに着脱可能に係合する係合部が形成されており、
前記上壁部に対して、前記前壁部、前記後壁部、前記左壁部および前記右壁部が折り曲げられ、前記前壁部に対して前記前側重合壁部が内側に折り返されて、前記第１連接部および前記第２連接部が二つ折りされた状態で前記前壁部と前記前側重合壁部とで挟まれ、その状態において前記前壁部に形成された前記係合部と前記前側重合壁部に形成された前記係合部とが互いに係合され、前記後壁部に対して前記後側重合壁部が内側に折り返されて、前記第３連接部および前記第４連接部が二つ折りされた状態で前記後壁部と前記後側重合壁部とで挟まれ、その状態において前記後壁部に形成された前記係合部と前記後側重合壁部に形成された前記係合部とが互いに係合されることで組み立てられ、
展開状態から、前記前壁部に対して前記前側重合壁部が折り返されて、前記前壁部に形成された前記係合部と前記前側重合壁部に形成された前記係合部とが互いに係合され、前記後壁部に対して前記後側重合壁部が折り返されて、前記後壁部に形成された前記係合部と前記後側重合壁部に形成された前記係合部とが互いに係合され、その後、前記上壁部、前記前壁部および前記後壁部に対してそれぞれ、前記左壁部、前記第１連接部および前記第３連接部が折り返され、そして、前記上壁部、前記前壁部および前記後壁部に対してそれぞれ、前記右壁部、前記第２連接部および前記第４連接部が折り返され、その状態において前記左壁部に形成された前記係合部と前記右壁部に形成された前記係合部とが互いに係合されるか、または、前記上壁部、前記前壁部および前記後壁部に対してそれぞれ、前記右壁部、前記第２連接部および前記第４連接部が折り返され、そして、前記上壁部、前記前壁部および前記後壁部に対してそれぞれ、前記左壁部、前記第１連接部および前記第３連接部が折り返され、その状態において前記左壁部に形成された前記係合部と前記右壁部に形成された前記係合部とが互いに係合されることで折り畳まれる
ことを特徴とする訪問歯科診療用簡易防塵容器。
【発明の詳細な説明】
【技術分野】
【０００１】
本発明は、義歯などの研削作業時に発生する粉塵が周囲に飛び散るのを防止することができる訪問歯科診療用簡易防塵容器に関するものである。
【背景技術】
【０００２】
世界に先駆けて日本は超高齢社会に突入し、その結果、寝たきりの要介護者が急増している。寝たきり患者の死亡原因の第一位となっている誤嚥性肺炎を予防するために、最近、口腔衛生の強化や摂食嚥下障害のリハビリテーションに社会的関心が非常に高まってきている。また、安易な胃瘻に頼ることなく、自らの口で食事がとれるようになると、その喜びは患者に前向きな気持ちをもたせ、認知障害の改善や、寝たきり状態であった者がベッドから起き上がり、自らの足で歩き回れるまでに回復することが医学的に証明されてきている。このような背景の下、摂食嚥下障害患者にとってのリハビリテーションの道具として、寝たきり患者の義歯の重要性が日増しに高まってきている。
【０００３】
ところが、寝たきりになると、義歯の不具合に際して歯科医院の受診が困難となり、訪問歯科診療に頼らざるをえなくなる。そのため家庭や老人施設など、歯科診療機器が整備されていない場所での診察が必要となり、医療機材類を直接現場に持ち込む必要性に迫られている。この場合、特にいろいろな疾患を抱え抵抗力の弱い在宅の要介護者が多く、病原菌の外部からの持ち込みや、患者から術者への感染など、設備の整っていない環境での衛生面での注意が求められている。
【０００４】
訪問歯科診療では、治療の８割が義歯関連である。具体的には、旧義歯の診療にあたって、噛み合わせに関係する咬合面の調整や、口腔粘膜に接する義歯床粘膜面の調整や裏装が必要となってくる。また、維持安定のために義歯床外形の形態修正も必要となる等、いずれも患者の旧義歯を削除修正する必要があり、臨床の現場では歯科技工用エンジン（マイクロモーター）が多用されている。
【０００５】
訪問歯科診療では、歯科技工用エンジンで義歯を削除すると、義歯床の削り屑が家庭内の周囲に飛び散るために、治療後には周辺の掃除が必要となる。在宅での義歯調整にあたって、歯科技工用エンジンで義歯を削除すると、周囲を削り屑で汚すにとどまらず、さまざまな疾患を抱えた要介護者が多いため不潔な義歯が多く、削り屑に付着した感染源を周囲にまき散らすことにもなる。これを最小限に留めるため、集塵装置として家庭用の掃除機を一時借用する場合や、専用の集塵装置として持ち運びが可能な小型のボックスタイプがあり、それには繰り返し使用できるものや使い捨てのものがある。
【０００６】
ボックスタイプのものでは、歯科技工用エンジンに連結しているハンドピースと義歯を同時に容器内に入れ、削り屑が周囲に飛び散らないように容器内で切削するようになっている。たとえば、下記特許文献１に開示されているような組み立て式防塵ボックスが知られている。この組み立て式防塵ボックスは、天板と正面板と背面板と底面板と一対の側板とが一枚の透明なプラスチック製シートから形成されており、折曲線で折曲させることでコンパクトに折り畳むことができ、折り畳んだ状態から、側板の背面板係止用差込片を背面板の背面板差込口に差し込むと共に、側板の底面板係止用差込片を底面板の底面板差込口に差し込むことで組み立てることができる。
【先行技術文献】
【特許文献】
【０００７】
【特許文献１】特開２０１２−１８８１５０号公報
【発明の概要】
【発明が解決しようとする課題】
【０００８】
しかしながら、特許文献１に開示されるような組み立て式防塵ボックスでは、使い捨てとする場合、廃棄にあたっては小さく折りたたむ必要があり、その際にボックス内の削り屑が一対の側板に形成された開口部から外部にこぼれ出て、周囲を汚染することが多い。また、使い捨てとすることは衛生的である反面、コストが非常に高くつくという欠点がある。
【０００９】
通常、訪問歯科診療は、複数の訪問先を連続して訪問するので、繰り返し使用する場合には、次の訪問先を訪問する前に、容器内の削り屑を廃棄しなければならない。これは、汚染物である削り屑をそのまま別の訪問先に持ち込むことになってしまうからである。特許文献１に開示された組み立て式防塵ボックスでは、内部の削り屑を廃棄する際に展開する場合、その展開時に内部の削り屑が周囲に飛散するおそれがある。展開せずに側板の開口部から廃棄する場合には、その開口部まで削り屑を移動させる手間がかかる。廃棄後においてボックス内に削り屑が残っている場合、その残った削り屑を、側板の開口部から挿入した清掃具などを用いてかき集めて前記開口部から取り出すことになり、削り屑が取り出しにくい。また、展開して廃棄する場合、または開口部から廃棄する場合であっても、ボックス内部からゴミ箱などに削り屑を直接に廃棄する手間がかかり面倒である。
【００１０】
本発明は、このような問題に鑑みてなされたものであり、その主たる目的は、義歯などの切削作業で発生した削り屑の廃棄時において、外部への削り屑の飛散を抑制しつつ容易に削り屑を廃棄することができる訪問歯科診療用簡易防塵容器を提供することにある。また、衛生的かつ経済的な訪問歯科診療用簡易防塵容器を提供することにある。
【課題を解決するための手段】
【００１１】
上記目的を達成するための本発明に係る訪問歯科診療用簡易防塵容器は、下面全体が開口して中空部を有するボックス状に組み立てられる折畳可能な防塵容器であって、上壁部は、少なくとも一部が、前記中空部内を視認可能な透明部材からなる窓部とされており、側壁部には、作業者の手が前記中空部内に挿入可能な挿入口が２箇所に形成されており、前記防塵容器の下面への開口部には、袋状の集塵袋の開口部が被せられて、前記防塵容器と前記集塵袋とが互いに連通可能とされ、前記集塵袋が前記防塵容器に対して着脱可能とされており、前記上壁部は、四角板状に形成され、組立前の展開した状態では、前記側壁部は、前記上壁部の前端部、後端部、左端部および右端部にそれぞれ連接されている四角板状の前壁部、四角板状の後壁部、前記挿入口の一方が形成された四角板状の左壁部および前記挿入口の他方が形成された四角板状の右壁部と、前記前壁部の前端部に連接されている板状の前側重合壁部と、前記後壁部の後端部に連接されている板状の後側重合壁部とを有し、前記前壁部と前記左壁部、前記前壁部と前記右壁部、前記後壁部と前記左壁部および前記後壁部と前記右壁部がそれぞれ、板状の第１連接部、板状の第２連接部、板状の第３連接部および板状の第４連接部にて連接されており、前記前壁部と前記前側重合壁部とにはそれぞれ、互いに着脱可能に係合する係合部が形成され、前記後壁部と前記後側重合壁部とにはそれぞれ、互いに着脱可能に係合する係合部が形成され、前記左壁部と前記右壁部とにはそれぞれ、互いに着脱可能に係合する係合部が形成されており、前記上壁部に対して、前記前壁部、前記後壁部、前記左壁部および前記右壁部が折り曲げられ、前記前壁部に対して前記前側重合壁部が内側に折り返されて、前記第１連接部および前記第２連接部が二つ折りされた状態で前記前壁部と前記前側重合壁部とで挟まれ、その状態において前記前壁部に形成された前記係合部と前記前側重合壁部に形成された前記係合部とが互いに係合され、前記後壁部に対して前記後側重合壁部が内側に折り返されて、前記第３連接部および前記第４連接部が二つ折りされた状態で前記後壁部と前記後側重合壁部とで挟まれ、その状態において前記後壁部に形成された前記係合部と前記後側重合壁部に形成された前記係合部とが互いに係合されることで組み立てられ、展開状態から、前記前壁部に対して前記前側重合壁部が折り返されて、前記前壁部に形成された前記係合部と前記前側重合壁部に形成された前記係合部とが互いに係合され、前記後壁部に対して前記後側重合壁部が折り返されて、前記後壁部に形成された前記係合部と前記後側重合壁部に形成された前記係合部とが互いに係合され、その後、前記上壁部、前記前壁部および前記後壁部に対してそれぞれ、前記左壁部、前記第１連接部および前記第３連接部が折り返され、そして、前記上壁部、前記前壁部および前記後壁部に対してそれぞれ、前記右壁部、前記第２連接部および前記第４連接部が折り返され、その状態において前記左壁部に形成された前記係合部と前記右壁部に形成された前記係合部とが互いに係合されるか、または、前記上壁部、前記前壁部および前記後壁部に対してそれぞれ、前記右壁部、前記第２連接部および前記第４連接部が折り返され、そして、前記上壁部、前記前壁部および前記後壁部に対してそれぞれ、前記左壁部、前記第１連接部および前記第３連接部が折り返され、その状態において前記左壁部に形成された前記係合部と前記右壁部に形成された前記係合部とが互いに係合されることで折り畳まれることを特徴とする。
【発明の効果】
【００１３】
本発明に係る訪問歯科診療用簡易防塵容器によれば、下面全体が開口されてその開口部に集塵袋が着脱可能に取り付けられるため、容器内での義歯などの切削作業で発生した削り屑が集塵袋に自然に落下して集められ、集塵袋ごと削り屑を廃棄することができる。このように、削り屑を自然に集塵袋に集めることができるので、容易に削り屑を回収することができ、回収後は、集塵袋ごと廃棄することができるので、廃棄時に削り屑が周囲へ飛散するのを抑制しつつ、容易に削り屑を廃棄することができる。本発明に係る訪問歯科診療用簡易防塵容器によれば、集塵袋ごと削り屑を廃棄後、新しく集塵袋を取り付けて切削作業ができるため、容器を繰り返し使用することができ、コストの低減を図ることができる。
【００１４】
本発明に係る訪問歯科診療用簡易防塵容器によれば、下面全体が開口して形成されているため、その下面への開口部を介して容器内を清掃することができ、容器内の清掃を楽に行うことができる。本発明に係る訪問歯科診療用簡易防塵容器によれば、容器を繰り返し使用できるが、削り屑を集塵袋ごと廃棄でき、容器内を清掃することができるため、次の訪問先に前の訪問先での削り屑を持ち込むことがなく、コストの低減を図りつつ衛生的な容器とすることができる。本発明に係る訪問歯科診療用簡易防塵容器によれば、折り畳むことができるため、持ち運ぶ際に嵩張ることがなく、容易に携帯することができる。
【００１５】
さらに、本発明に係る訪問歯科診療用簡易防塵容器によれば、組立時において、第１連接部および第２連接部が前壁部と前側重合壁部とで挟まれた状態で、前壁部に形成された係合部と前側重合壁部に形成された係合部とが互いに係合されると共に、第３連接部および第４連接部が後壁部と後側重合壁部とで挟まれた状態で、後壁部に形成された係合部と後側重合壁部に形成された係合部とが互いに係合されるため、不意に展開するおそれがなく、組立状態を確実に維持することができる。また、折り畳まれた際には、左壁部に形成された係合部と右壁部に形成された係合部とが互いに係合されるため、折畳状態を確実に維持することができる。
【図面の簡単な説明】
【００１６】
【図１】本発明の訪問歯科診療用簡易防塵容器の一実施例の斜視図であり、上方から見た状態を示している。
【図２】図１の訪問歯科診療用簡易防塵容器の斜視図であり、下方から見た状態を示している。
【図３】図１の訪問歯科診療用簡易防塵容器の展開状態を示す斜視図であり、裏返した状態を示している。
【図４】図１の訪問歯科診療用簡易防塵容器の組立途中を示す斜視図であり、図３の状態から前後壁部および左右壁部を折り曲げた状態を示している。
【図５】図１の訪問歯科診療用簡易防塵容器の組立途中を示す斜視図であり、図４の状態からさらに前後壁部および左右壁部を折り曲げた状態を示している。
【図６】図１の訪問歯科診療用簡易防塵容器の組立状態を示す縦断面図である。
【図７】図１の訪問歯科診療用簡易防塵容器の使用状態を示す正面図である。
【図８】図１の訪問歯科診療用簡易防塵容器の折畳途中を示す縦断面図であり、前側重合壁部および後側重合壁部の展開を示している。
【図９】図１の訪問歯科診療用簡易防塵容器の折畳途中を示す斜視図であり、裏返した状態を示している。
【図１０】図１の訪問歯科診療用簡易防塵容器の折畳状態を示す斜視図であり、裏返した状態を示している。
【発明を実施するための形態】
【００１７】
以下、本発明の具体的実施例を図面に基づいて詳細に説明する。
【００１８】
図１から図６は、本発明の訪問歯科診療用簡易防塵容器の一実施例を示す図であり、図１は上方から見た斜視図、図２は下方から見た斜視図、図３は展開状態を示す斜視図、図４から図６は組立過程を時系列に示す図である。なお、図３から図６は、訪問歯科診療用簡易防塵容器を裏返した状態を示している。本実施例の訪問歯科診療用簡易防塵容器１は、下面全体が開口した矩形の中空ボックス状に形成される。
【００１９】
訪問歯科診療用簡易防塵容器１は、四角形の板状の上壁部２と、上壁部２に連接されている板状の側壁部３とを備え、この側壁部３は、図３に示す展開状態において、上壁部２の前端部に連接されている四角形の板状の前壁部４と、上壁部２の後端部に連接されている四角形の板状の後壁部５と、上壁部２の左端部に連接されている四角形の板状の左壁部６と、上壁部２の右端部に連接されている四角形の板状の右壁部７と、前壁部４に連接されている板状の前側重合壁部８と、後壁部５に連接されている板状の後側重合壁部９とを有している。また、訪問歯科診療用簡易防塵容器１は、前壁部４と左壁部６とを連接している板状の第１連接部１０と、前壁部４と右壁部７とを連接している板状の第２連接部１１と、後壁部５と左壁部６とを連接している板状の第３連接部１２と、後壁部５と右壁部７とを連接している板状の第４連接部１３とを備える。
【００２０】
上壁部２は、左右方向を長手方向とする長方形の板状に形成されている。上壁部２には、その板面を貫通して略四角形状の開口１４が形成される。この開口１４は、上壁部２の前後両端部および左右両端部を残して、上壁部２の略中央部に形成される。また、上壁部２の内面には、プラスチック製の透明部材からなるシート材１５が開口１４を閉塞するように貼り付けられ、これにより窓部１６が形成される。なお、本実施例では、上壁部２の少なくとも一部が窓部１６であればよく、その大きさや配置は適宜に設定される。
【００２１】
前壁部４および後壁部５は、左右方向を長手方向とする長方形の板状とされ、左右長さが上壁部２の左右長さと同一に形成されている。また、前壁部４と後壁部５とは、前後長さが同一に形成されている。前壁部４は、その後端部が上壁部２の前端部に折曲可能に連接されており、後壁部５は、その前端部が上壁部２の後端部に折曲可能に連接されている。前壁部４の内面の後端部および後壁部５の内面の前端部にはそれぞれ、左右方向へ離隔して係合部１７，１７および係合部１８，１８が形成される。本実施例では、各係合部１７，１８は、面ファスナーとされる。なお、本実施例では、前壁部４および後壁部５は、上壁部２に一体形成されている。
【００２２】
前側重合壁部８および後側重合壁部９は、左右方向を長手方向とする長方形の板状に形成されている。前側重合壁部８は、上壁部２と前後方向へ対向するように、その後端部が前壁部４の前端部に折曲可能に連接されている。後側重合壁部９は、上壁部２と前後方向へ対向するように、その前端部が後壁部５の後端部に折曲可能に連接されている。前側重合壁部８の内面の前端部には、前壁部４に形成された係合部１７，１７に対して着脱可能に係合される係合部１９，１９が、左右方向へ離隔して形成される。後側重合壁部９の内面の後端部には、後壁部５に形成された係合部１８，１８に対して着脱可能に係合される係合部２０，２０が、左右方向へ離隔して形成される。本実施例では、各係合部１９，２０は、面ファスナーとされる。なお、本実施例では、前側重合壁部８が前壁部４に一体形成され、後側重合壁部９が後壁部５に一体形成されている。
【００２３】
前側重合壁部８および後側重合壁部９にはそれぞれ、前側折曲部２１および後側折曲部２２が連接されている。前側折曲部２１は、左右方向を長手方向とする細長い長方形の板状に形成されており、その後端部が前側重合壁部８の前端部に折曲可能に連接されている。後側折曲部２２は、左右方向を長手方向とする細長い長方形の板状に形成されており、その前端部が後側重合壁部９の後端部に折曲可能に連接されている。前側折曲部２１および後側折曲部２２にはそれぞれ、摘み部２３が折曲可能に形成されている。前側折曲部２１には、左右方向へ離隔して摘み部２３，２３が形成されており、各摘み部２３は、前側折曲部２１の前端から切り込みを左右２箇所に形成することで、前側折曲部２１に折曲可能に形成される。後側折曲部２２には、左右方向へ離隔して摘み部２３，２３が形成されており、各摘み部２３は、後側折曲部２２の後端から切り込みを左右２箇所に形成することで、後側折曲部２２に折曲可能に形成される。なお、本実施例では、前側折曲部２１が前側重合壁部８に一体形成され、後側折曲部２２が後側重合壁部９に一体形成されている。
【００２４】
左壁部６および右壁部７は、前後方向を長手方向とする長方形の板状とされ、前後長さが上壁部２の前後長さと同一に形成されている。また、左壁部６と右壁部７とは、左右長さが同一に形成されている。左壁部６は、その右端部が上壁部２の左端部に折曲可能に連接されており、右壁部７は、その左端部が上壁部２の右端部に折曲可能に連接されている。なお、本実施例では、左壁部６および右壁部７は、上壁部２に一体形成されている。
【００２５】
左壁部６および右壁部７には、それぞれ板面を貫通するようにして、作業者の手の挿入口２４が略四角形状に形成される。また、左壁部６および右壁部７にはそれぞれ、挿入口２４と連続して略矩形状の挿通口２５が貫通形成される。左壁部６に形成される挿通口２５は、挿入口２４の前端部右側に形成され、右壁部７に形成される挿通口２５は、挿入口２４の後端部左側に形成される。左壁部６および右壁部７の内面にはそれぞれ、弾性変形可能なプラスチック製の透明部材からなるシート材２６が挿入口２４および挿通口２５を閉塞するように貼り付けられる。両シート材２６，２６にはそれぞれ、中央部に貫通穴２７が形成されると共に、貫通穴２７から外方へ向けて放射状に複数のスリット２８が形成される。これにより、貫通穴２７へ向けて延出して複数の舌片２９が形成されることになる。両シート材２６，２６は、挿入口２４内および挿通口２５内に複数の舌片２９が配置されるように、対応する各壁部６，７に貼り付けられる。
【００２６】
左壁部６および右壁部７にはそれぞれ、左側折返部３０および右側折返部３１が連接されている。左側折返部３０は、前後方向を長手方向とする細長い長方形の板状に形成されており、その右端部が左壁部６の左端部に折曲可能に連接されている。右側折返部３１は、前後方向を長手方向とする細長い長方形の板状に形成されており、その左端部が右壁部７の右端部に折曲可能に連接されている。両折返部３０，３１は、折り返されて隣接する各壁部６，７の内面に貼り付けられる。この際、両折返部３０，３１は、挿入口２４および挿通口２５に被らない。左壁部６および右壁部７にはそれぞれ、互いに着脱可能に係合する係合部３２，３２および係合部３３，３３が形成される。具体的には、左壁部６の外面に、前後方向へ離隔して係合部３２，３２が形成され、右壁部７の内面には、折り返された状態の右側折返部３１の外面に前後方向へ離隔して係合部３３，３３が形成されることで、右側折返部３１を介して係合部３３，３３が形成される。本実施例では、左壁部６および右壁部７に形成される各係合部３２，３３は、面ファスナーとされる。なお、本実施例では、左側折返部３０が左壁部６に一体形成され、右側折返部３１が右壁部７に一体形成されている。
【００２７】
第１連接部１０は、四分の一の略円板状に形成され、一方の半径部が前壁部４の左端部に連接されていると共に、他方の半径部が左壁部６の前端部に連接されている。本実施例の第１連接部１０は、八分の一の略円板状の第１半部３４，３４同士が互いに折曲可能に連接されて構成されている。第１半部３４，３４同士は、その半径部同士が一部を残して互いに連接されている。具体的には、互いに連接される半径部の内、径方向内側部分が連接されておらず、これにより半径方向へ沿って切れ目３５が形成されている。このようにして、第１連接部１０は、第１半部３４，３４同士の連接箇所で折り曲げて、二つ折りにすることができる。なお、本実施例では、第１半部３４，３４同士、一方の第１半部３４と前壁部４および他方の第１半部３４と左壁部６は、一体形成されている。
【００２８】
第２連接部１１は、四分の一の略円板状に形成され、一方の半径部が前壁部４の右端部に連接されていると共に、他方の半径部が右壁部７の前端部に連接されている。本実施例の第２連接部１１は、八分の一の略円板状の第２半部３６，３６同士が互いに折曲可能に連接されて構成されている。第２半部３６，３６同士は、その半径部同士が一部を残して互いに連接されている。具体的には、互いに連接される半径部の内、径方向内側部分が連接されておらず、これにより半径方向へ沿って切れ目３７が形成されている。このようにして、第２連接部１１は、第２半部３６，３６同士の連接箇所で折り曲げて、二つ折りにすることができる。なお、本実施例では、第２半部３６，３６同士、一方の第２半部３６と前壁部４および他方の第２半部３６と右壁部７は、一体形成されている。
【００２９】
第３連接部１２は、四分の一の略円板状に形成され、一方の半径部が後壁部５の左端部に連接されていると共に、他方の半径部が左壁部６の後端部に連接されている。本実施例の第３連接部１２は、八分の一の略円板状の第３半部３８，３８同士が互いに折曲可能に連接されて構成されている。第３半部３８，３８同士は、その半径部同士が一部を残して互いに連接されている。具体的には、互いに連接される半径部の内、径方向内側部分が連接されておらず、これにより半径方向へ沿って切れ目３９が形成されている。このようにして、第３連接部１２は、第３半部３８，３８同士の連接箇所で折り曲げて、二つ折りにすることができる。なお、本実施例では、第３半部３８，３８同士、一方の第３半部３８と後壁部５および他方の第３半部３８と左壁部６は、一体形成されている。
【００３０】
第４連接部１３は、四分の一の略円板状に形成され、一方の半径部が後壁部５の右端部に連接されていると共に、他方の半径部が右壁部７の後端部に連接されている。本実施例の第４連接部１３は、八分の一の略円板状の第４半部４０，４０同士が互いに折曲可能に連接されて構成されている。第４半部４０，４０同士は、その半径部同士が一部を残して互いに連接されている。具体的には、互いに連接される半径部の内、径方向内側部分が連接されておらず、これにより半径方向へ沿って切れ目４１が形成されている。このようにして、第４連接部１３は、第４半部４０，４０同士の連接箇所で折り曲げて、二つ折りにすることができる。なお、本実施例では、第４半部４０，４０同士、一方の第４半部４０と後壁部５および他方の第４半部４０と右壁部７は、一体形成されている。
【００３１】
前述したように、各壁部２，４，５，６，７、各重合壁部８，９、各連接部１０〜１３、各折曲部２１，２２および各折返部３０，３１は、一体形成されている。本実施例では、それらは薄手のダンボール製とされており、内面および外面に撥水処理が施されている。撥水処理は、たとえば、各壁部２，４，５，６，７、各重合壁部８，９、各連接部１０〜１３、各折曲部２１，２２および各折返部３０，３１の内面および外面に、ビニール製のフィルムをコーティングすることでなされる。
【００３２】
図４から図６に示されるように、本実施例の訪問歯科診療用簡易防塵容器１は、各壁部２，４，５，６，７、各重合壁部８，９、各連接部１０〜１３および各折曲部２１，２２を適宜に折り曲げることで組み立てられる。具体的には、まず、側壁部３を形成するように、上壁部２に対して、前壁部４、後壁部５、左壁部６および右壁部７が折り曲げられる。これにより、第１連接部１０、第２連接部１１、第３連接部１２および第４連接部１３が二つ折りにされる。すなわち、第１連接部１０では、第１半部３４，３４同士がその連接箇所で折り曲げられて重ね合わせられる。第２連接部１１では、第２半部３６，３６同士がその連接箇所で折り曲げられて重ね合わせられる。第３連接部１２では、第３半部３８，３８同士がその連接箇所で折り曲げられて重ね合わせられる。第４連接部１３では、第４半部４０，４０同士がその連接箇所で折り曲げられて重ね合わせられる。
【００３３】
その後、前壁部４に対して前側重合壁部８が内側に折り返されて、前壁部４と前側重合壁部８とにより、第１連接部１０および第２連接部１１が二つ折りにされた状態で挟まれる。この際、前壁部４に形成された面ファスナー１７と前側重合壁部８に形成された面ファスナー１９とが互いに係合される。また、後壁部５に対して後側重合壁部９が内側に折り返されて、後壁部５と後側重合壁部９とにより、第３連接部１２および第４連接部１３が二つ折りにされた状態で挟まれる。この際、後壁部５に形成された面ファスナー１８と後側重合壁部９に形成された面ファスナー２０とが互いに係合される。
【００３４】
図６に示されるように、前壁部４と前側重合壁部８とが係合された状態では、前側重合壁部８に対して前側折曲部２１が折り曲げられて、前側折曲部２１が上壁部２の内面に当接される。また、後壁部５と後側重合壁部９とが係合された状態では、後側重合壁部９に対して後側折曲部２２が折り曲げられて、後側折曲部２２が上壁部２の内面に当接される。このようにして、本実施例の訪問歯科診療用簡易防塵容器１は、下面全体が開口して内部に中空部を有する矩形ボックス状に形成することができる。
【００３５】
次に、本実施例の訪問歯科診療用簡易防塵容器１の使用について説明する。図７は、本実施例の訪問歯科診療用簡易防塵容器の使用状態を示す正面図であり、一部を断面にして示している。
【００３６】
訪問歯科診療用簡易防塵容器１には、袋状の集塵袋４２が着脱可能に取り付けられる。本実施例では、図７に示されるように、訪問歯科診療用簡易防塵容器１の下面への開口部に集塵袋４２の開口部が被せられ、この状態で輪ゴム４３と訪問歯科診療用簡易防塵容器１の外面とで集塵袋４２を挟み込むことで、訪問歯科診療用簡易防塵容器１に集塵袋４２を着脱可能に取り付けることができる。この際、訪問歯科診療用簡易防塵容器１の中空部と集塵袋４２の内部とは、それぞれの開口部を介して互いに連通可能とされている。なお、本実施例では、集塵袋４２が規格化されたレジ袋とされており、この集塵袋４２の開口部に対応するようにして、訪問歯科診療用簡易防塵容器１の下面への開口部が形成されている。すなわち、訪問歯科診療用簡易防塵容器１の開口部の大きさは、レジ袋である集塵袋４２の開口部の大きさに対応している。
【００３７】
このようにして集塵袋４２が取り付けられた状態で、訪問歯科診療用簡易防塵容器１が使用される。具体的には、訪問歯科診療用簡易防塵容器１の中空部内に、左右両壁部６，７に形成された挿入口２４を介して作業者の手がそれぞれ挿入されると共に、被作業物である義歯と義歯の切削工具Ｔとが挿入口２４を介して挿入され、防塵容器１内で義歯の切削作業を行うことができる。この際、図７に示されるように、切削工具Ｔの一部を、挿通口２５を介して外部へ露出した状態で、切削作業を行うことができる。切削作業は、上壁部２に形成された窓部１６を介して、防塵容器１内を見ながら行うことができる。なお、切削作業は、図７に示されるように、作業者により訪問歯科診療用簡易防塵容器１が持ち上げられた状態で行うことができる。前述したように、挿入口２４や挿通口２５には、シート材２６が設けられているが、作業者の手などを中空部内に挿入する際には、シート材２６の各舌片２９が内側へ弾性変形して貫通穴２７が広がり、作業者の手などを中空部内に挿入することができる。
【００３８】
切削作業で生じた義歯の削り屑は、集塵袋４２内に落下し、切削作業の終了後、訪問歯科診療用簡易防塵容器１から集塵袋４２が取り外されて、集塵袋４２ごと廃棄することができる。その後、訪問歯科診療用簡易防塵容器１は、下面への開口部から内部の清掃や消毒を適宜行うことができる。
【００３９】
本実施例の訪問歯科診療用簡易防塵容器１は、不使用時には折り畳むことができる。たとえば、次の訪問先へ移動する際、前述したように組み立てられた状態から、後述するように折り畳むことができる。図８から図１０は、折畳過程を時系列に示す図である。
【００４０】
図８に示されるように、訪問歯科診療用簡易防塵容器１は、組立状態から折り畳む際には、まず、前壁部４と前側重合壁部８との係合を解除して、前壁部４に対して前側重合壁部８を展開し、後壁部５と後側重合壁部９との係合を解除して、後壁部５に対して後側重合壁部９を展開する。これは、各重合壁部８，９に連接された各折曲部２１，２２に形成された摘み部２３を摘み、各重合壁部８，９を引き上げることでなされる。
【００４１】
各重合壁部８，９の展開後、訪問歯科診療用簡易防塵容器１をさらに展開する。そして、図９に示されるように、前壁部４に対して前側重合壁部８が折り返されて、前壁部４の面ファスナー１７と前側重合壁部８の面ファスナー１９とが互いに係合され、後壁部５に対して後側重合壁部９が折り返されて、後壁部５の面ファスナー１８と後側重合壁部９の面ファスナー２０とが互いに係合される。その後、図１０に示されるように、上壁部２に対して左壁部６が折り返され、前壁部４に対して第１連接部１０が折り返され、さらに後壁部５に対して第３連接部１２が折り返される。そして、それらに重なるようにして、上壁部２に対して右壁部７が折り返され、前壁部４に対して第２連接部１１が折り返され、さらに後壁部５に対して第４連接部１３が折り返される。その状態において、左壁部６に形成された面ファスナー３２と、右側折返部３１を介して右壁部７に形成された面ファスナー３３とが互いに係合される。このようにして、訪問歯科診療用簡易防塵容器１は、ほぼ扁平に折り畳むことができる。
【００４２】
本実施例の訪問歯科診療用簡易防塵容器１によれば、防塵容器１の下面全体が開口され、その開口部に集塵袋４２が設けられることで、防塵容器１の中空部内で発生した義歯の削り屑を、袋内に自然に落下させて回収することができる。また、集塵袋４２が訪問歯科診療用簡易防塵容器１に対して着脱可能とされていることで、削り屑を集塵袋４２ごと廃棄することができる。このように、本実施例の訪問歯科診療用簡易防塵容器１によれば、削り屑が周囲に飛散して周囲が汚染されるのを抑制しつつ、削り屑の回収および廃棄を容易に行うことができる。
【００４３】
また、本実施例の訪問歯科診療用簡易防塵容器１によれば、集塵袋４２を取り替えることで防塵容器１を繰り返し使用することができ、使い捨ての容器の場合と比較して、コストを低減することができる。また、本実施例の訪問歯科診療用簡易防塵容器１によれば、防塵容器１の下面全体が開口されているため、その開口部から防塵容器１内を清掃することができ、防塵容器１内の清掃を楽に行うことができる。また、本実施例の訪問歯科診療用簡易防塵容器１によれば、ビニール製のフィルムをコーティングして撥水処理が施されているため、清掃時に除菌剤を用いて拭掃を行うことができる。従って、本実施例の訪問歯科診療用簡易防塵容器１は、繰り返し使用する場合において、衛生的な容器とすることができる。
【００４４】
また、本実施例の訪問歯科診療用簡易防塵容器１によれば、集塵袋４２として市販されているレジ袋を用いることができるため、袋にかかるコストを低減することができる。また、本実施例の訪問歯科診療用簡易防塵容器１によれば、組立時において、前壁部４と前側重合壁部８とが係合されると共に、後壁部５と後側重合壁部９とが係合されるため、不意に展開するおそれがなく、組立状態を確実に維持することができる。また、本実施例の訪問歯科診療用簡易防塵容器１によれば、折畳時において、左壁部６と右壁部７とが係合されるため、折畳状態を確実に維持することができる。また、本実施例の訪問歯科診療用簡易防塵容器１によれば、扁平の板状に折り畳むことができるため、嵩張ることがなく、容易に携帯して持ち運ぶことができる。
【００４５】
また、本実施例の訪問歯科診療用簡易防塵容器１によれば、繰り返して使用することができるため、複数の訪問先をまわる際、防塵容器１を一つと集塵袋４２を複数枚持ち運ぶだけでよく、使い捨ての容器を複数持ち運ぶ場合と比較して、荷物をより少なくすることができる。また、本実施例の訪問歯科診療用簡易防塵容器１によれば、薄手のダンボール製とされることで、重量を抑えることができ、簡易に持ち運ぶことができる。
【００４６】
また、本実施例の訪問歯科診療用簡易防塵容器１によれば、持ち上げた状態で作業を行うことができるため、防塵容器１を置く場所が必要でなく、照明などが設置されている明るい場所に移動して作業を行うことができる。また、本実施例の訪問歯科診療用簡易防塵容器１によれば、薄手のダンボール製とされて重量が軽いため、持ち上げた状態で作業する際において、作業者の負担を軽減することができる。
【００４７】
また、本実施例の訪問歯科診療用簡易防塵容器１によれば、薄手のダンボール製とされることで、プラスチック製の容器の場合と比較して、容易に組み立てることができる。その理由としては、プラスチック製の容器の場合には、折り曲げた状態から元に戻ろうとする力がダンボール製の場合と比較して大きいため、組み立ての際に折り曲げても元に戻ろうとしてしまい、組み立てに手間がかかるからである。また、本実施例の訪問歯科診療用簡易防塵容器１によれば、第１半部３４，３４同士、第２半部３６，３６同士、第３半部３８，３８同士および第４半部４０，４０同士が一部を残して連接されているため、各連接部１０〜１３を容易に二つ折りすることができる。従って、防塵容器１の組み立てを容易に行うことができる。
【００４８】
本発明の訪問歯科診療用簡易防塵容器は、前記実施例の構成に限らず、適宜変更可能である。たとえば、前記実施例では、折り畳む際、左壁部６、第１連接部１０および第３連接部１２が折り返された後、右壁部７、第２連接部１１および第４連接部１３が折り返され、左壁部６と右壁部７とが係合されたが、これとは逆でもよい。すなわち、右壁部７、第２連接部１１および第４連接部１３が折り返された後、左壁部６、第１連接部１０および第３連接部１２が折り返され、左壁部６と右壁部７とが係合されてもよい。この場合、左壁部６の内面に左側折返部３０を介して係合部３２が形成され、右壁部７の外面に係合部３３が形成される。
【００４９】
また、前記実施例では、訪問歯科診療用簡易防塵容器１に用いられる集塵袋４２としてレジ袋が用いられたが、これに限定されるものではなく、その他の使い捨てできる袋であってもよい。また、前記実施例では、訪問歯科診療用簡易防塵容器１は、各壁部２，４，５，６，７、各重合壁部８，９、各連接部１０〜１３、各折曲部２１，２２および各折返部３０，３１が薄手のダンボール製とされたが、これに限定されるものではなく、たとえば板紙などの厚手の紙製であってもよい。また、前記実施例では、各壁部２，４，５，６，７、各重合壁部８，９、各連接部１０〜１３、各折曲部２１，２２および各折返部３０，３１がビニール製のフィルムでコーティングされて撥水処理が施されたが、少なくとも、防塵容器１の組立時において防塵容器１の内面に対応する箇所が撥水処理されていればよい。
【００５０】
また、前記実施例では、切削工具Ｔの一部を外部へ露出させる挿通口２５が左右両壁部６，７に形成されたが、左壁部６または右壁部７のどちらか一方に形成してもよい。また、前記実施例では、訪問歯科診療用簡易防塵容器１は、矩形ボックス状に形成されたが、これに限定されるものではなく、下面全体が開口したボックス状であればよい。さらに、防塵容器１の組立構造や折畳構造は、適宜に変更可能である。
【産業上の利用可能性】
【００５１】
本発明は、医療機器が整備されていない訪問先において、義歯を切削して調整する際に有効に利用することができる。
【符号の説明】
【００５２】
１  訪問歯科診療用簡易防塵容器
２  上壁部
３  側壁部
４  前壁部
５  後壁部
６  左壁部
７  右壁部
８  前側重合壁部
９  後側重合壁部
１０  第１連接部
１１  第２連接部
１２  第３連接部
１３  第４連接部
１５  シート材（透明部材）
１６  窓部
１７  係合部
１８  係合部
１９  係合部
２０  係合部
２４  挿入口
３２  係合部
３３  係合部
４２  集塵袋
【図１】
0006558682.tif 000002
【図２】
0006558682.tif 000003
【図３】
0006558682.tif 000004
【図４】
0006558682.tif 000005
【図５】
0006558682.tif 000006
【図６】
0006558682.tif 000007
【図７】
0006558682.tif 000008
【図８】
0006558682.tif 000009
【図９】
0006558682.tif 000010
【図１０】
0006558682.tif 000011